(57)【要約】【課題】第１のコンタクトと第２のコンタクトとの間に寸法上の微細なばらつきがあるとしても、第１及び第２のコンタクトが配線板状部材における第１及び第２の接触端子部に適正かつ安定に接触接続される状態を得ることができるコネクタ装置を提供する。【解決手段】複数の第１のコンタクトの夫々が、回動するアクチュエータ２５のカム部２７に当接する第１のカム受け部を有するとともに、複数の第２のコンタクト１７の夫々が、カム部２７に当接する第２のカム受け部５０を有し、第１のコンタクトにおける第１のカム受け部が設けられた端部が絶縁ハウジング１３の底板部３５に固定され、第２のコンタクト１７における第２のカム受け部５０が設けられた端部が、絶縁ハウジング１３の底板部３５との間に間隙５６を形成して底板部３５に対して弾性変位可能とされる。【選択図】  図４
2019016498.tif 000002
【特許請求の範囲】
【請求項１】
板状部材差込み部が設けられて配線基板に配される絶縁ハウジングと、
該絶縁ハウジングに交互に配列配置された複数の第１のコンタクト及び複数の第２のコンタクトと、
上記複数の第１及び第２のコンタクトに係合するカム部を有して上記絶縁ハウジングに対して回動可能に設けられ、上記カム部の作用によって上記複数の第１及び第２のコンタクトに、上記板状部材差込み部に差し込まれて上記絶縁ハウジングに挿入された配線板状部材における複数の第１及び第２の接触端子部に対する押圧接触状態をとらせる第１の静止位置と、上記カム部の作用によって上記複数の第１及び第２のコンタクトを上記押圧接触状態から解放する第２の静止位置とを選択的にとるアクチュエータと、
を備え、
上記複数の第１のコンタクトの夫々が、上記アクチュエータの回動に伴って回動する上記カム部に当接する第１のカム受け部と該第１のカム受け部に対向して配されて上記カム部により押圧される状態をとる第１の受圧部とを有するとともに、上記複数の第２のコンタクトの夫々が、上記アクチュエータの回動に伴って回動する上記カム部に当接する第２のカム受け部と該第２のカム受け部に対向して配されて上記カム部により押圧される状態をとる第２の受圧部とを有し、上記第１のコンタクトにおける上記第１のカム受け部が設けられた部分が、上記絶縁ハウジングにおける一部分に固定され、上記第２のコンタクトにおける上記第２のカム受け部が設けられた部分が、上記絶縁ハウジングにおける上記一部分との間に間隙を形成して該一部分に対して弾性変位可能とされたことを特徴とするコネクタ装置。
【請求項２】
上記アクチュエータが上記第２の静止位置をとるときには、上記第２のカム受け部についての上記絶縁ハウジングにおける一部分からの距離を、上記第１のカム受け部についての上記絶縁ハウジングにおける一部分からの距離より大となす設定がなされることを特徴とする請求項１記載のコネクタ装置。
【請求項３】
上記複数の第１のコンタクトにおける上記第１のカム受け部と上記第１の受圧部とが上記カム部を挟持する状態をとるとともに、上記複数の第２のコンタクトにおける上記第２のカム受け部と上記第２の受圧部とが上記カム部を挟持する状態をとることを特徴とする請求項１記載のコネクタ装置。
【請求項４】
上記複数の第１のコンタクトの夫々が、上記板状部材差込み部に対する上記配線板状部材の差込み方向に沿って伸びて上記絶縁ハウジングに固定された第１の固定ビーム部と該第１の固定ビーム部に沿って伸びて可動とされた第１の可動ビーム部とを有し、上記第１の固定ビーム部における上記板状部材差込み部とは反対側の端部に上記第１のカム受け部が設けられ、上記第１の可動ビーム部における上記板状部材差込み部側の端部に上記配線板状部材における第１の接触端子部に押圧接触する第１の接触部が設けられるとともに、上記第１の可動ビーム部における上記板状部材差込み部とは反対側の端部に上記第１の受圧部が設けられ、上記複数の第２のコンタクトの夫々が、上記板状部材差込み部に対する上記配線板状部材の差込み方向に沿って伸びて上記絶縁ハウジングに部分的に固定された第２の固定ビーム部と該第２の固定ビーム部に沿って伸びて可動とされた第２の可動ビーム部とを有し、上記第２の固定ビーム部における上記板状部材差込み部とは反対側の端部に上記第２のカム受け部が設けられ、上記第２の可動ビーム部における上記板状部材差込み部側の端部に上記配線板状部材における第２の接触端子部に押圧接触する第２の接触部が設けられるとともに、上記第２の可動ビーム部における上記板状部材差込み部とは反対側の端部に上記第２の受圧部が設けられたことを特徴とする請求項１記載のコネクタ装置。
【請求項５】
上記複数の第２のコンタクトの夫々の上記第２の固定ビーム部における上記板状部材差込み部とは反対側の端部に、上記第２のカム受け部に加えて、上記カム部の複数の第１及び第２のコネクタからの離脱を阻止するカム係止部が設けられたことを特徴とする請求項４記載のコネクタ装置。
【請求項６】
上記複数の第２のコンタクトの夫々の上記第２の固定ビーム部に、上記第２のカム受け部が設けられた上記第２の固定ビーム部の端部の弾性変位を規制する変位規制部が設けられたことを特徴とする請求項４記載のコネクタ装置。
【発明の詳細な説明】
【技術分野】
【０００１】
本願の特許請求の範囲に記載された発明は、ソリッド印刷配線基板等とされる配線基板に固定されて、フレキシブル印刷配線基板（ＦＰＣ）や平板状ケーブル（ＦＦＣ）等の配線板状部材が挿入される絶縁ハウジングと、絶縁ハウジングに配されて配線基板に電気的に接続される複数のコンタクトと、絶縁ハウジングに対して回動可能とされ、複数のコンタクトに絶縁ハウジングに挿入された配線板状部材に当接する状態を取らせるアクチュエータとを備えたコネクタ装置に関する。
【背景技術】
【０００２】
各種の電子機器に実装される比較的小型なフレキシブル印刷配線基板等の配線板状部材にあっては、種々の電気部品が取り付けられるソリッド印刷配線基板等の配線基板への取付けが、当該配線基板に電気的接続がなされて固定されるコネクタ装置が用いられて行われることが多い。このような配線板状部材の配線基板への取付けにあたって用いられるコネクタ装置は、配線板状部材が挿入される絶縁ハウジングと、絶縁ハウジングに配列配置されて絶縁ハウジングに挿入された配線板状部材における接触端子部に接触接続される導電性を具えた複数のコンタクトとを有していて、それらの複数のコンタクトを介して、配線板状部材に設けられた接触端子部を当該コネクタ装置が固定された配線基板における配線端子に電気的に連結する。
【０００３】
従来提案されているコネクタ装置の絶縁ハウジングに挿入されるフレキシブル印刷配線基板等の配線板状部材は、例えば、各々が導電材料によって形成された複数の第１の接触端子部と複数の第２の接触端子部とが交互に配列配置された平板状部を有するものとされている。このような配線板状部材における複数の第１の接触端子部及び複数の第２の接触端子部の配列方向（以下、端子配列方向という。）は、コネクタ装置の絶縁ハウジングに対する配線板状部材の差込み方向に実質的に直交する方向とされる。
【０００４】
斯かる配線板状部材において、複数の第１の接触端子部の夫々は、コネクタ装置のコンタクトが押圧接触する広幅部を有しており、また、複数の第２の接触端子部の夫々も、コネクタ装置のコンタクトが押圧接触する広幅部を有している。そして、第１の接触端子部の広幅部と第２の接触端子部の広幅部とは、コネクタ装置の絶縁ハウジングに対する配線板状部材の挿入方向の位置を異にするものとされている。例えば、第１の接触端子部の広幅部より第２の接触端子部の広幅部の方が、配線板状部材における平板状部の端子配列方向に沿って伸びる端縁部分に近接した位置に配される。それにより、配線板状部材上において、複数の第１及び第２の接触端子部の相互間隔を比較的小としたもとで、複数の広幅部の夫々が端子配列方向の幅寸法を比較的大とすることができ、コネクタ装置のコンタクトの押圧接触が確実に行われ得るようにされている。
【０００５】
上述のような複数の第１の接触端子部と複数の第２の接触端子部とが配列配置されたフレキシブル印刷配線基板等とされる配線板状部材を、配線基板に取り付けるにあたって用いられる従来提案されているコネクタ装置は、配線板状部材が差し込まれる差込み部を形成するものとされて配線基板に配される絶縁ハウジングを有しており、その絶縁ハウジングに配列配置されて設けられて、配線基板に設けられた配線端子に連結され、差込み部を通じて絶縁ハウジングに差し込まれた配線板状部材における複数の第１の接触端子部と複数の第２の接触端子部に夫々接触接続される複数の第１のコンタクトと複数の第２のコンタクトとを備えている。これらの複数の第１のコンタクト及び複数の第２のコンタクトの配列方向（以下、コンタクト配列方向という。）も、コネクタ装置の絶縁ハウジングに対する配線板状部材の差込み方向に実質的に直交する方向とされる（例えば、特許文献１参照。）。
【０００６】
特許文献１に示されるコネクタ装置（コネクタ(1))にあっては、配線基板に配される絶縁ハウジング（ハウジング(30)) を備えていて、その絶縁ハウジングにおける一対の相互対向側端部の一方に、配線板状部材を成す平型導体が差し込まれる差込み部が形成されており、また、絶縁ハウジングには、複数の第１のコンタクト（第一端子(10)) と複数の第２のコンタクト（第二端子(20)) とが、交互に配列配置されている。これら複数の第１のコンタクト及び複数の第２のコンタクトは、それらの夫々が金属板材料により形成されて略Ｈ形状を成すものとされたもとで、絶縁ハウジングに対する配線板状部材の差込み方向に直交する方向に沿って配列されている。さらに、コネクタ装置は、絶縁ハウジングに対して回動可能とされたアクチュエータ（加圧部材(40)) を備えており、アクチュエータは、例えば、合成樹脂材によって形成されていて、複数の第１のコンタクトに係合するカム部(43)と複数の第２のコンタクトに係合するカム部(44)とが一体的に設けられたものとされている。
【０００７】
斯かるもとで、複数の第１のコンタクトの夫々は、絶縁ハウジングに固定される固定ビーム部（固定腕部(11)) と固定ビーム部に対して移動可動とされた可動ビーム部（可動腕部(12)) と可動ビーム部を固定ビーム部に連結する連結部(13)とを有している。そして、固定ビーム部に、配線基板における配線端子に接続される接続部(11B) と接続部(11B) の近傍に形成されたカム受け部（カム案内部(11D))とが設けられており、さらに、可動ビーム部に、平型導体である配線板状部材における第１の接触端子部に押圧接触するものとされる接触部（押圧部(12A))と固定ビーム部におけるカム受け部（カム案内部(11D))に対向するものとされた受圧部（被圧部(12B))とが設けられていて、固定ビーム部におけるカム受け部（カム案内部(11D))と可動ビーム部における受圧部（被圧部(12B))との間に、アクチュエータのカム部(43)が配される。
【０００８】
また、複数の第２のコンタクトの夫々は、絶縁ハウジングに固定される固定ビーム部（固定腕部(21)) と固定ビーム部に対して移動可動とされた可動ビーム部（可動腕部(22)) と可動ビーム部を固定ビーム部に連結する連結部(23)とを有している。そして、固定ビーム部に、配線基板における配線端子に接続される接続部(21B) と第１のコンタクトの固定ビーム部に設けられたカム受け部（カム案内部(11D))に隣接するものとされるカム受け部（カム案内部(21D))とが設けられており、さらに、可動ビーム部に、配線板状部材における第２の接触端子部に押圧接触するものとされる接触部（押圧部(22A))と固定ビーム部におけるカム受け部（カム案内部(21D))に対向するものとされた受圧部（被圧部(22B))とが設けられていて、固定ビーム部におけるカム受け部（カム案内部(21D))と可動ビーム部における受圧部（被圧部(22B))との間に、アクチュエータのカム部(44)が配される。
【０００９】
このような特許文献１に示されるコネクタ装置（コネクタ(1))にあっては、複数の第１のコンタクトが、それらの夫々におけるカム受け部（カム案内部(11D))が絶縁ハウジングに固定されたものとされていて、アクチュエータのカム部(43)が、アクチュエータが絶縁ハウジングに対して立ち上がった位置（開位置）をとるときには、複数の第１のコンタクトの夫々におけるカム受け部（カム案内部(11D))には当接するが受圧部（被圧部(12B))には当接しない状態におかれ、その後、アクチュエータが回動せしめられて、絶縁ハウジングに対して伏した位置（閉位置）をとるときには、アクチュエータのカム部(43)が、複数の第１のコンタクトの夫々におけるカム受け部（カム案内部(11D))と受圧部（被圧部(12B))との両者に当接する状態におかれるように設計される。そして、絶縁ハウジングに配線板状部材が差し込まれたもとで、アクチュエータが絶縁ハウジングに対して立ち上がった位置から絶縁ハウジングに対して伏した位置へと回動せしめられると、アクチュエータの回動過程において、アクチュエータのカム部(43)が、複数の第１のコンタクトの夫々における受圧部（被圧部(12B))をカム受け部（カム案内部(11D))から離隔する方向に押圧変位させ、それにより、複数の第１のコンタクトの夫々における接触部（押圧部(12A))に配線板状部材における第１の接触端子部に押圧接触する状態をとらせる。
【００１０】
また、複数の第２のコンタクトも、それらの夫々におけるカム受け部（カム案内部(21D))が絶縁ハウジングに固定されたものとされていて、アクチュエータのカム部(44)が、アクチュエータが絶縁ハウジングに対して立ち上がった位置（開位置）をとるときには、複数の第２のコンタクトの夫々におけるカム受け部（カム案内部(21D))には当接するが受圧部（被圧部(22B))には当接しない状態におかれ、その後、アクチュエータが回動せしめられて、絶縁ハウジングに対して伏した位置（閉位置）をとるときには、複数の第２のコンタクトの夫々におけるカム受け部（カム案内部(21D))と受圧部（被圧部(22B))との両者に当接する状態におかれるように設計される。そして、絶縁ハウジングに配線板状部材が差し込まれたもとで、アクチュエータが絶縁ハウジングに対して立ち上がった位置から絶縁ハウジングに対して伏した位置へと回動せしめられると、アクチュエータの回動過程において、アクチュエータのカム部(44)が、複数の第２のコンタクトの夫々における受圧部（被圧部(22B))をカム受け部（カム案内部(21D))から離隔する方向に押圧変位させ、それにより、複数の第２のコンタクトの夫々における接触部（押圧部(22A))に配線板状部材における第２の接触端子部に押圧接触する状態をとらせる。
【先行技術文献】
【特許文献】
【００１１】
【特許文献１】特開２００８−１９２４０８号公報
【発明の概要】
【発明が解決しようとする課題】
【００１２】
前述のような、フレキシブル印刷配線基板等の配線板部材の配線基板への取付けに用いられるコネクタ装置として従来提案されているものにあっては、絶縁ハウジングに交互に配列配置された複数の第１のコンタクト及び複数の第２のコンタクトが、複数の第１のコンタクトの夫々におけるカム受け部が絶縁ハウジングに固定されたものとされるとともに、複数の第２のコンタクトの夫々におけるカム受け部も絶縁ハウジングに固定されたものとされたもとで、アクチュエータのカム部が、アクチュエータが絶縁ハウジングに対して立ち上がった位置をとるときには、複数の第１のコンタクトの夫々及び複数の第２のコンタクトの夫々におけるカム受け部には当接するが受圧部には当接しない状態におかれ、その後、アクチュエータが回動せしめられて、絶縁ハウジングに対して伏した位置をとるときには、複数の第１のコンタクトの夫々及び複数の第２のコンタクトの夫々におけるカム受け部と受圧部との両者に当接する状態におかれるように設計される。
【００１３】
このようなもとで、複数の第１のコンタクトの夫々及び複数の第２のコンタクトの夫々は、別部材であって、例えば、互いに異なる打ち抜き型が使用されて、互いに異なる成形プロセスを経て製作される。それゆえ、第１のコンタクトと第２のコンタクトとの間では、寸法上の微細なばらつきが生じ、第１のコンタクト及び第２のコンタクトが絶縁ハウジングに組み付けられたとき、例えば、第１のコンタクトにおけるカム受け部の絶縁ハウジングからの突出量（例えば、高さ寸法）が第２のコンタクトにおけるカム受け部の絶縁ハウジングからの突出量（例えば、高さ寸法）とは相違することになる事態が生じる虞がある。
【００１４】
そして、絶縁ハウジングに組み付けられた第１及び第２のコンタクトが、寸法上の微細なばらつきにより、第１のコンタクトにおけるカム受け部の絶縁ハウジングからの突出量が第２のコンタクトにおけるカム受け部の絶縁ハウジングからの突出量とは相違するものとされると、上述のように設計されたもとにおいても、実際には、アクチュエータのカム部が、第１のコンタクトにおけるカム受け部及び第２のコンタクトのカム受け部のうちの一方にしか当接せず、斯かる当接状態のもとで、アクチュエータの回動に伴って回動することになってしまう。その際には、アクチュエータのカム部が第１のコンタクトにおけるカム受け部及び第２のコンタクトのカム受け部のうちの一方にしか当接しないことによって、当該一方のカム受け部のみがカム部による押圧荷重を集中的に受けることになり、第１及び第２のコンタクトは金属板材料により形成されているが、アクチュエータのカム部は、例えば、合成樹脂材によって形成されていて第１及び第２のコンタクトの夫々より剛性が低いものとされていることもあって、カム部による押圧荷重を集中的に受けるカム受け部が回動するカム部に食い込んで、カム部の外面部に溝を掘る事態がまねかれる。
【００１５】
このようにして、第１のコンタクトにおけるカム受け部及び第２のコンタクトのカム受け部のうちの一方が、回動するアクチュエータのカム部に食い込んで当該カム部の外面部に溝を掘る事態が生じると、アクチュエータのカム部による第１及び第２のコンタクトの夫々における受圧部に対するカム受け部から離隔する方向への押圧変位が充分に行われなくなり、それにより、配線板状部材における第１及び第２の接触端子部の夫々に押圧接触する第１及び第２のコンタクトの夫々における接触部が、第１及び第２の接触端子部の夫々に対する接圧の低下が来されるものとされ、その結果、複数の第１及び第２のコンタクトが配線板状部材における第１及び第２の接触端子部に適正かつ安定に接触接続される状態が得られなくなってしまうという不都合がもたらされる虞がある。
【００１６】
斯かる点に鑑み、本願の特許請求の範囲に記載された発明は、例えば、フレキシブル印刷配線基板とされる配線板状部材が差し込まれる板状部材差込み部が設けられて配線基板に配される絶縁ハウジングに、複数の第１のコンタクト及び複数の第２のコンタクトが交互に配列配置されて配されるとともに、複数の第１及び第２のコンタクトに係合するカム部を有するアクチュエータが絶縁ハウジングに対して回動可能とされて設けられ、アクチュエータが、複数の第１及び第２のコンタクトに、絶縁ハウジングの板状部材差込み部に差し込まれた配線板状部材における第１及び第２の接触端子部に対する押圧接触状態をとらせるコネクタ装置であって、たとえ、第１のコンタクトと第２のコンタクトとの間に寸法上の微細なばらつきがあるとしても、アクチュエータのカム部の回動作用によって、第１及び第２のコンタクトが配線板状部材における第１及び第２の接触端子部に適正かつ安定に接触接続される状態を得ることができるものを提供する。
【課題を解決するための手段】
【００１７】
本願の特許請求の範囲における請求項１から請求項６までのいずれかに記載された発明（以下、本願発明という。）に係るコネクタ装置は、板状部材差込み部が設けられて配線基板に配される絶縁ハウジングと、絶縁ハウジングに交互に配列配置された複数の第１のコンタクト及び複数の第２のコンタクトと、複数の第１及び第２のコンタクトに係合するカム部を有して絶縁ハウジングに対して回動可能に設けられ、カム部の作用によって複数の第１及び第２のコンタクトに、板状部材差込み部に差し込まれて絶縁ハウジングに挿入された配線板状部材における複数の第１及び第２の接触端子部に対する押圧接触状態をとらせる第１の静止位置と、カム部の作用によって複数の第１及び第２のコンタクトを押圧接触状態から解放する第２の静止位置とを選択的にとるアクチュエータとを備えて構成され、複数の第１のコンタクトの夫々が、アクチュエータの回動に伴って回動するカム部に当接する第１のカム受け部と第１のカム受け部に対向して配されてカム部により押圧される状態をとる第１の受圧部とを有するとともに、複数の第２のコンタクトの夫々が、アクチュエータの回動に伴って回動するカム部に当接する第２のカム受け部と第２のカム受け部に対向して配されてカム部により押圧される状態をとる第２の受圧部とを有し、第１のコンタクトにおける第１のカム受け部が設けられた部分が、絶縁ハウジングにおける一部分に固定され、第２のコンタクトにおける第２のカム受け部が設けられた部分が、絶縁ハウジングにおける一部分との間に間隙を形成して当該一部分に対して弾性変位可能とされたことを特徴とするものとされる。
【００１８】
このように構成される本願発明に係るコネクタ装置にあっては、絶縁ハウジングに複数の第１のコンタクトと複数の第２のコンタクトとが交互に配列配置されたもとにおいて、複数の第１のコンタクトの夫々が、アクチュエータの回動に伴って回動するカム部に当接する第１のカム受け部と第１のカム受け部に対向して配されてカム部により押圧される状態をとる第１の受圧部とを有するものとされるとともに、複数の第２のコンタクトの夫々が、アクチュエータの回動に伴って回動するカム部に当接する第２のカム受け部と第２のカム受け部に対向して配されてカム部により押圧される状態をとる第２の受圧部とを有するものとされ、絶縁ハウジングに対して回動可能とされたアクチュエータにおけるカム部が、複数の第１のコンタクトの夫々における第１のカム受け部と第１の受圧部との間及び複数の第２のコンタクトの夫々における第２のカム受け部と第２の受圧部との間に配されている。そして、斯かる本願発明に係るコネクタ装置が実際の使用に供されるにあたっては、アクチュエータが第２の静止位置をとるもとで、配線板状部材が板状部材差込み部に差し込まれて絶縁ハウジングに挿入され、続いて、アクチュエータが第２の静止位置から第１の静止位置へと回動せしめられ、それにより、アクチュエータに伴って回動するカム部が、複数の第１のコンタクトの夫々における第１の受圧部を第１のカム受け部から離隔する方向に押圧変位させるとともに、複数の第２のコンタクトの夫々における第２の受圧部を第２のカム受け部から離隔する方向に押圧変位させ、それに伴って、複数の第１及び第２のコンタクトが、絶縁ハウジングに挿入された配線板状部材における複数の第１及び第２の接触端子部に対する押圧接触状態をとるものとされる。
【発明の効果】
【００１９】
上述の本願発明に係るコネクタ装置にあっては、絶縁ハウジングに複数の第１のコンタクトと複数の第２のコンタクトとが交互に配列配置され、複数の第１のコンタクトの夫々が、アクチュエータの回動に伴って回動するカム部に当接する第１のカム受け部と第１のカム受け部に対向して配されてカム部により押圧される状態をとる第１の受圧部とを有するものとされるとともに、複数の第２のコンタクトの夫々が、アクチュエータの回動に伴って回動するカム部に当接する第２のカム受け部と第２のカム受け部に対向して配されてカム部により押圧される状態をとる第２の受圧部とを有するものとされたもとにおいて、第１のコンタクトにおける第１のカム受け部が設けられた部分が、絶縁ハウジングにおける一部分に固定され、第２のコンタクトにおける第２のカム受け部が設けられた部分が、絶縁ハウジングにおける一部分との間に間隙を形成して当該一部分に対して弾性変位可能とされているので、アクチュエータが第２の静止位置をとるときには、第２のカム受け部についての絶縁ハウジングにおける一部分からの距離を、第１のカム受け部についての絶縁ハウジングにおける一部分からの距離より大となす設定を行うことができる。
【００２０】
そして、斯かる設定が行われたときには、アクチュエータが第２の静止位置をとるもとにあっては、複数の第２のコンタクトの夫々に設けられた第２のカム受け部についての絶縁ハウジングにおける一部分からの距離が、複数の第１のコンタクトの夫々に設けられた第１のカム受け部についての絶縁ハウジングにおける一部分からの距離より大とされていることにより、複数の第２のコンタクトの夫々における第２のカム受け部のみがアクチュエータのカム部に当接し、複数の第１のコンタクトの夫々における第１のカム受け部はアクチュエータのカム部に当接しない。その後、アクチュエータが第２の静止位置から第１の静止位置への回動を始めると、アクチュエータのカム部が複数の第２のコンタクトの夫々に設けられた第２の受圧部を押圧し、それに伴って、第２のコンタクトにおける第２のカム受け部が設けられた部分が絶縁ハウジングにおける一部分側へと弾性変位せしめられ、それにより、第２のカム受け部についての絶縁ハウジングにおける一部分からの距離が、第１のコンタクトにおける絶縁ハウジングの一部分に固定された部分に設けられた第１のカム受け部についての絶縁ハウジングにおける一部分からの距離と等しくなり、複数の第２のコンタクトの夫々における第２のカム受け部と複数の第１のコンタクトの夫々における第１のカム受け部との両者が、アクチュエータのカム部に当接する状態が得られる。それにより、アクチュエータのカム部は、それに第１のコンタクトにおける第１のカム受け部と第２のコンタクトにおける第２のカム受け部とが当接して、第１のカム受け部と第２のカム受け部との両者がカム部による押圧負担を分担する状態のもとに回動せしめられる。
【００２１】
それにより、第１のカム受け部及び第２のカム受け部のうちの一方のみがアクチュエータのカム部による押圧荷重を集中的に受けて、カム部による押圧荷重を集中的に受けるカム受け部が回動するカム部に食い込んで、カム部の外面部に溝を掘ってしまうという事態が回避され、第１のコンタクトと第２のコンタクトとの間に寸法上の微細なばらつきがあっても、カム部による第１及び第２のコンタクトの夫々における受圧部に対するカム受け部から離隔する方向への押圧変位が充分に行われて、配線板状部材における第１及び第２の接触端子部の夫々に押圧接触する第１及び第２のコンタクトが、第１及び第２の接触端子部の夫々に対する接圧の低下がまねかれないものとされる。その結果、たとえ、第１のコンタクトと第２のコンタクトとの間に寸法上の微細なばらつきがあるとしても、アクチュエータのカム部の回動作用によって、複数の第１及び第２のコンタクトが配線板状部材における第１及び第２の接触端子部に適正かつ安定に接触接続される状態が得られることになる。
【図面の簡単な説明】
【００２２】
【図１】本願発明に係るコネクタ装置の一例を、それが実装された配線基板及びそれに装着されるフレキシブル印刷配線基板と共に示す斜視図である。
【図２】本願発明に係るコネクタ装置の一例を、それに装着されるフレキシブル印刷配線基板と共に示す平面図である。
【図３】図２における III−III 線断面を示す断面図である。
【図４】図２におけるIV−IV線断面を示す断面図である。
【図５】本願発明に係るコネクタ装置の一例にフレキシブル印刷配線基板が装着された状態を示す断面図である。
【図６】本願発明に係るコネクタ装置の一例にフレキシブル印刷配線基板が装着された状態を示す断面図である。
【図７】本願発明に係るコネクタ装置の一例にフレキシブル印刷配線基板が装着されたもとで、本願発明に係るコネクタ装置の一例が備えるアクチュエータが第２の静止位置から第１の静止位置への回動の途中にある状態を示す平面図である。
【図８】図７におけるVIII−VIII線断面を示す断面図である。
【図９】図７におけるIX−IX線断面を示す断面図である。
【図１０】図９の部分を拡大して示す部分拡大断面図である。
【図１１】配線基板に実装された本願発明に係るコネクタ装置の一例にフレキシブル印刷配線基板が装着されたもとで、本願発明に係るコネクタ装置の一例が備えるアクチュエータが第１の静止位置をとった状態を示す斜視図である。
【図１２】配線基板に実装された本願発明に係るコネクタ装置の一例にフレキシブル印刷配線基板が装着されたもとで、本願発明に係るコネクタ装置の一例が備えるアクチュエータが第１の静止位置をとった状態を示す断面図である。
【図１３】配線基板に実装された本願発明に係るコネクタ装置の一例にフレキシブル印刷配線基板が装着されたもとで、本願発明に係るコネクタ装置の一例が備えるアクチュエータが第１の静止位置をとった状態を示す断面図である。
【図１４】本願発明に係るコネクタ装置の一例において、第１のコンタクトにアクチュエータのカム部が係合せしめられる過程の説明に供される断面図である。
【図１５】本願発明に係るコネクタ装置の一例において、第１のコンタクトにアクチュエータのカム部が係合せしめられる過程の説明に供される断面図である。
【図１６】本願発明に係るコネクタ装置の一例において、第１のコンタクトにアクチュエータのカム部が係合せしめられる過程の説明に供される断面図である。
【図１７】本願発明に係るコネクタ装置の一例において、第２のコンタクトにアクチュエータのカム部が係合せしめられる過程の説明に供される断面図である。
【図１８】本願発明に係るコネクタ装置の一例において、第２のコンタクトにアクチュエータのカム部が係合せしめられる過程の説明に供される断面図である。
【図１９】本願発明に係るコネクタ装置の一例において、第２のコンタクトにアクチュエータのカム部が係合せしめられる過程の説明に供される断面図である。
【発明を実施するための形態】
【００２３】
本願発明を実施するための形態は、以下に述べられる本願発明についての実施例をもって説明される。
【実施例】
【００２４】
図１（斜視図）は、本発明に係るコネクタ装置の一例を成すコネクタ装置１０を、それが実装された配線基板１１及びそれに装着される配線板状部材を成すフレキシブル印刷配線基板１２と共に示し、図２（平面図）は、コネクタ装置１０を、それに装着される配線板状部材を成すフレキシブル印刷配線基板１２と共に示す。
【００２５】
図１及び図２において、コネクタ装置１０は、合成樹脂等の絶縁材料によって形成され、電子機器等の配線基板１１に配される絶縁ハウジング１３を備えている。絶縁ハウジング１３には、その正面側端縁部に、フレキシブル印刷配線基板１２が差し込まれる状態がとられる板状部材差込み部１４が設けられており、板状部材差込み部１４から絶縁ハウジング１３の内部へと板状部材収容部が拡がっている。即ち、絶縁ハウジング１３には、その内部に、板状部材収容部が板状部材差込み部１４に連なるものとして設けられていて、板状部材差込み部１４に差し込まれて絶縁ハウジング１３に挿入されたフレキシブル印刷配線基板１２が板状部材収容部に部分的に収容されるのである。そして、絶縁ハウジング１３は、図１及び図２において矢印Ｌにより示される方向を長手方向とするものとされている。
【００２６】
また、絶縁ハウジング１３には、各々が導電性弾性板状材料で形成された複数の第１のコンタクト１６と各々が導電性弾性板状材料で形成された複数の第２のコンタクト１７とが、絶縁ハウジング１３の長手方向に沿う方向において交互に配される状態のもとに配列配置されて設けられている。即ち、複数の第１のコンタクト１６及び複数の第２のコンタクト１７の配列方向（以下、コンタクト配列方向という。）は、絶縁ハウジング１３の長手方向とされているのである。そして、複数の第１のコンタクト１６の夫々は、その大部分が絶縁ハウジング１３の内部に収容されたものとされているが、その一端部が絶縁ハウジング１３における正面側端縁部に対向する背面側端縁部からその外部に突出して接続端子部１６ａを形成しており、また、複数の第２のコンタクト１７の夫々も、その大部分が絶縁ハウジング１３の内部に収容されたものとされているが、その一端部が絶縁ハウジング１３における正面側端縁部からその外部に突出して接続端子部１７ａを形成している。接続端子部１６ａ及び接続端子部１７ａは、配線基板１１における回路端子部 (図示が省略されている。）に接続される。
【００２７】
絶縁ハウジング１３における背面側端縁部側には、コンタクト配列方向、即ち、ハウジング１３の長手方向に沿って伸び、その長手方向が絶縁ハウジング１３の長手方向に一致することになるアクチュエータ２５が、絶縁ハウジング１３に対して回動可能に設けられている。このアクチュエータ２５は、後述される図１１〜図１３に示されるような、絶縁ハウジング１３に対して伏した状態におかれるものとされる位置を、第１の静止位置としてとることができ、また、図１及び図２に示されるような、絶縁ハウジング１３に対して起き上がった状態におかれるものとされる位置を、第２の静止位置としてとることができて、回動操作されることにより、第２の静止位置から第１の静止位置への移行、あるいは、第１の静止位置から第２の静止位置への移行を行うものとされている。
【００２８】
アクチュエータ２５は、全体として、板状体を成すものとされており、斯かるアクチュエータ２５には、その長手方向に沿って配列配置された複数の透孔２６が形成されている。これらの透孔２６の夫々は、アクチュエータ２５が絶縁ハウジング１３に対して回動可能に設けられて第２の静止位置をとるとき、絶縁ハウジング１３に配列配置されて交互に配された複数の第１のコンタクト１６及び複数の第２のコンタクト１７の夫々における絶縁ハウジング１３の背面側端縁部側の端部が貫通するものとされている。また、アクチュエータ２５は、絶縁ハウジング１３に配列配置されて交互に配された複数の第１のコンタクト１６及び複数の第２のコンタクト１７の夫々に係合するカム部２７（後述される図３及び図４に示されている。）を有している。そして、後述される図３及び図４に示されるように、アクチュエータ２５に形成された複数の透孔２６の夫々の内部においては、アクチュエータ２５が絶縁ハウジング１３に対して回動可能に設けられたもとで、複数の第１のコンタクト１６及び複数の第２のコンタクト１７の夫々における絶縁ハウジング１３の背面側端縁部側の端部に、アクチュエータ２５が有するカム部２７が、例えば、楕円状の断面形状を有するものとして係合している。従って、アクチュエータ２５には、その長手方向に沿って複数のカム部２７が配列配置されて設けられていることになる。
【００２９】
板状部材差込み部１４に差し込まれて絶縁ハウジング１３に挿入されるフレキシブル印刷配線基板１２には、その一端部において、複数の第１の接触端子部３１と複数の第２の接触端子部３２とが、フレキシブル印刷配線基板１２の板状部材差込み部１４への差込み方向または板状部材差込み部１４からの抜出し方向に直交する方向において交互に配される状態のもとに配列配置されている。（以下、複数の第１の接触端子部３１と複数の第２の接触端子部３２とが配列配置されたフレキシブル印刷配線基板１２の一端部を端子端部３３という。）。また、フレキシブル印刷配線基板１２にあっては、端子端部３３に連なって回路構成部３４が広がっている。
【００３０】
図３に示されるように、絶縁ハウジング１３に配列配置されて設けられた複数の第１のコンタクト１６の夫々は、金属板材等の導電性弾性板材料で形成された、全体として「エ」字状を成す板状部材とされている。このような「エ」字状とされた第１のコンタクト１６は、絶縁ハウジング１３に設けられた板状部材差込み部１４に対するフレキシブル印刷配線基板１２の差込み方向に沿って伸びて絶縁ハウジング１３の底板部３５に固定された第１の固定ビーム部３６と、第１の固定ビーム部３６に沿って伸びて可動とされた第１の可動ビーム部３７と、第１の可動ビーム部３７を第１の固定ビーム部３６に連結する第１の連結部３８とを有している。そして、第１の固定ビーム部３６における板状部材差込み部１４とは反対側の端部に、アクチュエータ２５のカム部２７に当接する状態をとる第１のカム受け部４０が設けられている。また、第１の可動ビーム部３７における板状部材差込み部１４側の端部に、フレキシブル印刷配線基板１２における第１の接触端子部３１に押圧接触する第１の接触部４１が設けられるとともに、第１の可動ビーム部３７における板状部材差込み部１４とは反対側の端部に、第１の受圧部４２が第１のカム受け部４０に対向するものとして設けられている。さらに、第１の固定ビーム部３６における第１のカム受け部４０が設けられた端部には、第１のカム受け部４０に加えて、配線基板１１における回路端子部に接続される接続端子部１６ａが設けられており、斯かる第１のカム受け部４０及び接続端子部１６ａが設けられた第１の固定ビーム部３６の端部は、絶縁ハウジング１３の底板部３５に固定されている。それにより、複数の第１のコンタクト１６の夫々における第１のカム受け部４０は、絶縁ハウジング１３の底板部３５に固定されていることになる。
【００３１】
続いて、図４に示されるように、絶縁ハウジング１３に配列配置されて設けられた複数の第２のコンタクト１７の夫々も、金属板材等の導電性弾性板材料で形成された、全体として「エ」字状を成す板状部材とされている。このような「エ」字状とされた第２のコンタクト１７は、絶縁ハウジング１３に設けられた板状部材差込み部１４に対するフレキシブル印刷配線基板１２の差込み方向に沿って伸びて絶縁ハウジング１３の底板部３５に部分的に固定された第２の固定ビーム部４６と、第２の固定ビーム部４６に沿って伸びて可動とされた第２の可動ビーム部４７と、第２の可動ビーム部４７を第２の固定ビーム部４６に連結する第２の連結部４８とを有している。そして、第２の固定ビーム部４６における板状部材差込み部１４とは反対側の端部に、アクチュエータ２５のカム部２７に当接する状態をとる第２のカム受け部５０が設けられるとともに、第２の固定ビーム部４６における板状部材差込み部１４側の端部に、配線基板１１における回路端子部に接続される接続端子部１７ａが設けられており、斯かる接続端子部１７ａが設けられた第２の固定ビーム部４６の端部は、絶縁ハウジング１３の底板部３５に固定されている。また、第２の可動ビーム部４７における板状部材差込み部１４側の端部に、フレキシブル印刷配線基板１２における第２の接触端子部３２に押圧接触する第２の接触部５１が設けられるとともに、第２の可動ビーム部４７における板状部材差込み部１４とは反対側の端部に、第２の受圧部５２が第２のカム受け部５０に対向するものとして設けられている。
【００３２】
さらに、第２の固定ビーム部４６における第２のカム受け部５０が設けられた端部には、第２のカム受け部５０に加えて、アクチュエータ２５のカム部２７の複数の第１のコンタクト１６及び第２のコンタクト１７からの離脱を阻止するカム係止部５４、及び、絶縁ハウジング１３の一部分に当接する突起部５５が、第２のカム受け部５０の近傍に形成されている。斯かる第２のカム受け部５０が設けられてカム係止部５４及び突起部５５が形成された第２の固定ビーム部４６の端部は、絶縁ハウジング１３の底板部３５との間に間隙５６を形成して底板部３５に対して弾性変位可能とされている。それにより、複数の第２のコンタクト１７の夫々における第２のカム受け部５０は、絶縁ハウジング１３の底板部３５に対して弾性変位可能とされていることになる。斯かるもとで、突起部５５は、絶縁ハウジング１３の一部分に当接することにより、第２のカム受け部５０が設けられてカム係止部５４及び突起部５５が形成された第２の固定ビーム部４６の端部の弾性変位を規制する変位規制部を成すものとされている。
【００３３】
図５（断面図）及び図６（断面図）は、コネクタ装置１０に、そのアクチュエータ２５が第２の静止位置をとるもとで、フレキシブル印刷配線基板１２が装着された状態を示す。
【００３４】
図５及び図６において、フレキシブル印刷配線基板１２は、絶縁ハウジング１３に設けられた板状部材差込み部１４に差し込まれて絶縁ハウジング１３に挿入されていて、フレキシブル印刷配線基板１２の端子端部３３は、複数の第１のコンタクト１６の夫々における第１の固定ビーム部３６と第１の可動ビーム部３７とにより挟まれるとともに、複数の第２のコンタクト１７の夫々における第２の固定ビーム部４６と第２の可動ビーム部４７とにより挟まれて、絶縁ハウジング１３内に形成された板状部材収容部に収容されている。
【００３５】
このとき、第２の静止位置をとるアクチュエータ２５のカム部２７は、複数の第１のコンタクト１６の夫々における第１の固定ビーム部３６に設けられた第１のカム受け部４０と第１の可動ビーム部３７に設けられた第１の受圧部４２との間 (図５）、及び、第２の静止位置をとるアクチュエータ２５のカム部２７は、複数の第２のコンタクト１７の夫々における第２の固定ビーム部４６に設けられた第２のカム受け部５０と第２の可動ビーム部４７に設けられた第２の受圧部５２との間 (図６）に配されている。斯かるもとで、複数の第１のコンタクト１６の夫々及び複数の第２のコンタクト１７の夫々について、アクチュエータ２５が第２の静止位置をとるときには、第２のカム受け部５０についての絶縁ハウジング１３における底板部３５からの距離が、第１のカム受け部４０についての絶縁ハウジング１３における底板部３５からの距離より極めて僅かに大となるようにする設定がなされる。それにより、第２の静止位置をとるアクチュエータ２５のカム部２７は、それに第２のカム受け部５０のみが当接して第１のカム受け部４０は実質的に当接しない状態におかれる。
【００３６】
その後、図７（平面図），図８（断面図）及び図９（断面図）に示されるように、アクチュエータ２５が第２の静止位置から第１の静止位置に向けて回動せしめられると、それに伴って、アクチュエータ２５のカム部２７が、複数の第１のコンタクト１６の夫々における第１の固定ビーム部３６に設けられた第１のカム受け部４０と第１の可動ビーム部３７に設けられた第１の受圧部４２との間 (図８）、及び、複数の第２のコンタクト１７の夫々における第２の固定ビーム部４６に設けられた第２のカム受け部５０と第２の可動ビーム部４７に設けられた第２の受圧部５２との間（図９）において回動し、複数の第１のコンタクト１６の夫々における第１の受圧部４２を第１のカム受け部４０から離隔する方向に押圧変位させるとともに、複数の第２のコンタクト１７の夫々における第２の受圧部５２を第２のカム受け部５０から離隔する方向に押圧変位させる。
【００３７】
このようにして、アクチュエータ２５が第２の静止位置から第１の静止位置へと回動せしめられるときには、図９の部分を拡大して示す図１０に示されるように、アクチュエータ２５の回動に伴って回動して第２のコンタクト１７における第２の受圧部５２を第２のカム受け部５０から離隔する方向に押圧変位させるカム部２７によって、第２のコンタクト１７における第２のカム受け部５０が設けられた部分が絶縁ハウジング１３の底板部３５に近接する方向に弾性変位せしめられる。それにより、第２のコンタクト１７における第２のカム受け部５０についての絶縁ハウジング１３の底板部３５からの距離が、第１のコンタクト１６における第１のカム受け部４０についての絶縁ハウジング１３の底板部３５からの距離と等しくなるものとされる。その結果、第２の静止位置から第１の静止位置へと回動せしめられるアクチュエータ２５のカム部２７は、それに第１のカム受け部４０と第２のカム受け部５０との両者が当接する状態におかれる。
【００３８】
斯かるもとにあっては、複数の第１のコンタクト１６の夫々における第１のカム受け部４０と第１の受圧部４２とがアクチュエータ２５のカム部２７を挟持する状態をとるとともに、複数の第２のコンタクト１７の夫々における第２のカム受け部５０と第２の受圧部５２とがアクチュエータ２５のカム部２７を挟持する状態をとる。そして、第１のカム受け部４０と第２のカム受け部５０との両者がカム部２７に当接するもとで、アクチュエータ２５が、図７，図８及び図９に示される位置から第１の静止位置に向けて更に回動せしめられ、その後、図１１（斜視図），図１２（断面図）及び図１３（断面図）に示されるように、第１の静止位置をとるものとされる。
【００３９】
アクチュエータ２５が第１の静止位置をとるもとにあっては、図１２及び図１３に示されるように、アクチュエータ２５に伴って回動したカム部２７により、複数の第１のコンタクト１６の夫々における第１の受圧部４２が第１のカム受け部４０から離隔する方向に押圧変位せしめられるとともに、複数の第２のコンタクト１７の夫々における第２の受圧部５２が第２のカム受け部５０から離隔する方向に押圧変位せしめられた状態におかれ、それに伴って、複数の第１のコンタクト１６の夫々における第１の接触部４１が絶縁ハウジング１３に挿入されたフレキシブル印刷配線基板１２における第１の接触端子部３１に対する押圧接触状態をとるものとされるとともに、複数の第２のコンタクト１７の夫々における第２の接触部５１が絶縁ハウジング１３に挿入されたフレキシブル印刷配線基板１２における第２の接触端子部３２に対する押圧接触状態をとるものとされる。それにより、フレキシブル印刷配線基板１２における複数の第１の接触端子部３１及び複数の第２の接触端子部３２が、コネクタ装置１０における複数の第１のコンタクト１６及び複数の第２のコンタクト１７を介して、コネクタ装置１０の絶縁ハウジング１３が配された配線基板１１における回路端子部に連結される。
【００４０】
その後、複数の第１のコンタクト１６の夫々における第１の接触部４１及び複数の第２のコンタクト１７の夫々における第２の接触部５１のフレキシブル印刷配線基板１２における第１の接触端子部３１及び第２の接触端子部３２に対する押圧接触状態を解除して、フレキシブル印刷配線基板１２をコネクタ装置１０から離脱させることができるようにするにあたっては、コネクタ装置１０のアクチュエータ２５が第１の静止位置から第２の静止位置へと回動せしめられる。
【００４１】
その際、第１の静止位置から第２の静止位置へと回動せしめられるアクチュエータ２５のカム部２７の回動に伴って、複数の第２のコンタクト１７の夫々における第２のカム受け部５０が設けられた端部が、自らの弾力によって、絶縁ハウジング１３の底板部３５から離隔する方向に変位し、アクチュエータ２５が第２の静止位置をとるときの位置に戻る。このとき、第２のコンタクト１７における第２のカム受け部５０が設けられた端部に、絶縁ハウジング１３の底板部３５から離隔する方向の過剰な変位が生じようとすると、当該端部に形成された突起部５５が絶縁ハウジング１３の一部分に当接して、第２のコンタクト１７における第２のカム受け部５０が設けられた端部の変位を規制する。
【００４２】
上述のように第２の静止位置から第１の静止位置への回動及び第１の静止位置から第２の静止位置への回動を行うものとされるアクチュエータ２５のカム部２７は、複数の第２のコンタクト１７の夫々における第２のカム受け部５０が設けられた端部に形成されたカム係止部５４によって、複数の第１のコンタクト１６及び複数の第２のコンタクト１７からの離脱が阻止されるものとされている。
【００４３】
図１４〜図１６（いずれも断面図）は、コネクタ装置１０において、アクチュエータ２５のカム部２７を複数の第１のコンタクト１６の夫々に係合させて、アクチュエータ２５を絶縁ハウジング１３に対して回動可能な状態に保持するための作業工程を示す。これらの図１４〜図１６に示されるように、アクチュエータ２５のカム部２７は、絶縁ハウジング１３の背面側端縁部の外部から、複数の第１のコンタクト１６の夫々における第１の固定ビーム部３６に設けられた第１のカム受け部４０と第１の可動ビーム部３７に設けられた第１の受圧部４２との間に押し込まれる。
【００４４】
また、図１７〜図１９（いずれも断面図）は、コネクタ装置１０において、アクチュエータ２５のカム部２７を複数の第２のコンタクト１７の夫々に係合させて、アクチュエータ２５を絶縁ハウジング１３に対して回動可能な状態に保持するための作業工程を示す。これらの図１７〜図１９に示されるように、アクチュエータ２５のカム部２７は、絶縁ハウジング１３の背面側端縁部の外部から、複数の第２のコンタクト１７の夫々における第２の固定ビーム部４６に設けられた第２のカム受け部５０と第２の可動ビーム部４７に設けられた第２の受圧部５２との間に、第２の固定ビーム部４６に形成されたカム係止部５４を乗り越える状態をもって押し込まれる。
【００４５】
上述のような本願発明に係るコネクタ装置の一例を成すコネクタ装置１０にあっては、絶縁ハウジング１３に複数の第１のコンタクト１６と複数の第２のコンタクト１７とが交互に配列配置され、複数の第１のコンタクト１６の夫々が、アクチュエータ２５の回動に伴って回動するカム部２７に当接する第１のカム受け部４０と第１のカム受け部４０に対向して配されてカム部２７により押圧される状態をとる第１の受圧部４２とを有するものとされるとともに、複数の第２のコンタクト１７の夫々が、アクチュエータ２５の回動に伴って回動するカム部２７に当接する第２のカム受け部５０と第２のカム受け部５０に対向して配されてカム部２７により押圧される状態をとる第２の受圧部５２とを有するものとされたもとにおいて、第１のコンタクト１６における第１のカム受け部４０が設けられた端部が、絶縁ハウジング１３における底板部３５に固定され、第２のコンタクト１７における第２のカム受け部５０が設けられた端部が、絶縁ハウジング１３における底板部３５との間に間隙５６を形成して当該底板部３５に対して弾性変位可能とされているので、アクチュエータ２５が第２の静止位置をとるときには、第２のカム受け部５０についての絶縁ハウジング１３における底板部３５からの距離を、第１のカム受け部４０についての絶縁ハウジング１３における底板部３５からの距離より大となす設定を行うことができる。
【００４６】
そして、斯かる設定を行うことにより、アクチュエータ２５が第２の静止位置をとるもとにあっては、複数の第２のコンタクト１７の夫々に設けられた第２のカム受け部５０についての絶縁ハウジング１３における底板部３５からの距離が、複数の第１のコンタクト１６の夫々に設けられた第１のカム受け部４０についての絶縁ハウジング１３における底板部３５からの距離より大とされていることによって、複数の第２のコンタクト１７の夫々における第２のカム受け部５０のみがアクチュエータ２５のカム部２７に当接し、複数の第１のコンタクト１６の夫々における第１のカム受け部４０はアクチュエータ２５のカム部２７に実質的に当接しない。その後、アクチュエータ２５が第２の静止位置から第１の静止位置への回動を始めると、アクチュエータ２５のカム部２７が複数の第２のコンタクト１７の夫々に設けられた第２の受圧部５２を押圧し、それに伴って、第２のコンタクト１７における第２のカム受け部５０が設けられた端部が絶縁ハウジング１３における底板部３５に近接する方向に弾性変位せしめられ、それにより、第２のカム受け部５０についての絶縁ハウジング１３の底板部３５からの距離が、第１のコンタクト１６における絶縁ハウジング１３の底板部３５に固定された端部に設けられた第１のカム受け部４０についての絶縁ハウジング１３の底板部３５からの距離と等しくなり、複数の第２のコンタクト１７の夫々における第２のカム受け部５０と複数の第１のコンタクト１６の夫々における第１のカム受け部４０との両者が、アクチュエータ２５のカム部２７に当接する状態が得られる。それにより、アクチュエータ２５のカム部２７は、それに第１のコンタクト１６における第１のカム受け部４０と第２のコンタクト１７における第２のカム受け部５０とが当接して、第１のカム受け部４０と第２のカム受け部５０との両者がカム部２７による押圧負担を分担する状態のもとに回動せしめられる。
【００４７】
それにより、第１のカム受け部４０及び第２のカム受け部５０のうちの一方のみがアクチュエータ２５のカム部２７による押圧荷重を集中的に受けて、カム部２７による押圧荷重を集中的に受けるカム受け部（第１のカム受け部４０または第２のカム受け部５０）が回動するカム部２７に食い込んで、カム部２７の外面部に溝を掘ってしまうという事態が回避され、第１のコンタクト１６と第２のコンタクト１７との間に寸法上の微細なばらつきがあっても、カム部２７による、第１のコンタクト１６における受圧部４２に対する第１のカム受け部４０から離隔する方向への押圧変位及び第２のコンタクト１７における第２の受圧部５２に対する第２のカム受け部５０から離隔する方向への押圧変位が、充分に行われて、フレキシブル印刷配線基板１２における第１の接触端子部３１及び第２の接触端子部３２に夫々押圧接触する第１のコンタクト１６及び第２のコンタクト１７が、第１の接触端子部３１及び第２の接触端子部３２の夫々に対する接圧の低下がまねかれないものとされる。その結果、たとえ、第１のコンタクト１６と第２のコンタクト１７との間に寸法上の微細なばらつきがあるとしても、アクチュエータ２５のカム部２７の回動作用によって、複数の第１のコンタクト１６の夫々及び複数の第２のコンタクト１７の夫々がフレキシブル印刷配線基板１２における第１の接触端子部３１及び第２の接触端子部３２に適正かつ安定に接触接続される状態が得られることになる。
【００４８】
また、コネクタ装置１０にあっては、複数の第２のコンタクト１７の夫々に第２のカム受け部５０の近傍に配されるものとして設けられるカム係止部５４が、第２のコンタクト１７における弾性変位可能とされた端部に形成されているので、アクチュエータ２５のカム部２７の変位に追従して変位することができるものとされ、それにより、カム係止部５４による、アクチュエータ２５のカム部２７の複数の第１のコンタクト１６及び複数の第２のコンタクト１７からの離脱を阻止する作用が、より一層確実に行われる。
【産業上の利用可能性】
【００４９】
以上のような本願発明に係るコネクタ装置は、フレキシブル印刷配線基板等とされる配線板状部材が差し込まれる板状部材差込み部が設けられて配線基板に配される絶縁ハウジングに、複数の第１のコンタクト及び複数の第２のコンタクトが交互に配列配置されて配されるとともに、複数の第１及び第２のコンタクトに係合するカム部を有するアクチュエータが絶縁ハウジングに対して回動可能とされて設けられ、アクチュエータが複数の第１及び第２のコンタクトに絶縁ハウジングの板状部材差込み部に差し込まれた配線板状部材における第１及び第２の接触端子部対する押圧接触状態をとらせるコネクタ装置であって、たとえ、第１のコンタクトと第２のコンタクトとの間に寸法上の微細なばらつきがあるとしても、アクチュエータのカム部の回動作用によって、第１及び第２のコンタクトが配線板状部材における第１及び第２の接触端子部に適正かつ安定に接触接続される状態を得ることができるものとして、様々な電子機器等に広く適用され得るものである。
【符号の説明】
【００５０】
１０・・・コネクタ装置，  １１・・・配線基板，  １２・・・フレキシブル印刷配線基板，  １３・・・絶縁ハウジング，  １４・・・板状部材差込み部，  １６・・・第１のコンタクト，  １６ａ，１７ａ・・・接続端子部，  １７・・・第２のコンタクト，  ２５・・アクチュエータ，  ２６・・・透孔，  ２７・・・カム部，  ３１・・・第１の接触端子部，  ３２・・・第２の接触端子部，  ３３・・・端子端部，  ３４・・・回路構成部，  ３５・・・底板部，  ３６・・・第１の固定ビーム部，  ３７・・・第１の可動ビーム部，  ３８・・・第１の連結部，  ４０・・・第１のカム受け部，  ４１・・・第１の接触部，  ４２・・・第１の受圧部，  ４６・・・第２の固定ビーム部，  ４７・・・第２の可動ビーム部，  ４８・・・第２の連結部，  ５０・・・第２のカム受け部，  ５１・・・第２の接触部，  ５２・・・第２の受圧部，  ５４・・・カム係止部，  ５５・・・突起部，  ５６・・・間隙
【図１】
2019016498.tif 000003
【図２】
2019016498.tif 000004
【図３】
2019016498.tif 000005
【図４】
2019016498.tif 000006
【図５】
2019016498.tif 000007
【図６】
2019016498.tif 000008
【図７】
2019016498.tif 000009
【図８】
2019016498.tif 000010
【図９】
2019016498.tif 000011
【図１０】
2019016498.tif 000012
【図１１】
2019016498.tif 000013
【図１２】
2019016498.tif 000014
【図１３】
2019016498.tif 000015
【図１４】
2019016498.tif 000016
【図１５】
2019016498.tif 000017
【図１６】
2019016498.tif 000018
【図１７】
2019016498.tif 000019
【図１８】
2019016498.tif 000020
【図１９】
2019016498.tif 000021